(57)【要約】複数のソースから導出された医療情報を表示するためのネットワークコンパチブルシステムにおいてユーザインタフェース装置は、患者医療データを取得するプロセッサと、取得した患者医療データを所望の順序で表示するためそれらのデータに優先順位を付与し、ユーザが選択した命令に応答してこのデータのうち表示される特定のパラメータを識別するプロセッサと、表示されるアイコンをユーザがアクティブにするとウィンドウを生成するためのウィンドウジェネレータを有している。表示されるウィンドウには、識別され表示される特定のパラメータとユーザが入力したテキストメッセージが自動的に含まれる。
2004527022.tif 000002
【特許請求の範囲】
【請求項１】
複数のソースから導出された医療情報を表示させるためのネットワークコンパチブルシステムにおいてユーザインタフェース装置は、
患者医療データを取得する通信プロセッサと、
取得された患者医療データを所望の順序で表示するため該データに優先順位を付与し、ユーザ選択命令に応答して該データのうち表示される特定のパラメータを識別するプロセッサと、
表示アイコンをユーザがアクティブにするとウィンドウを生成するディスプレイジェネレータを有しており、該ウィンドウには、識別され表示される特定のパラメータとユーザが入力したテキストメッセージが自動的に含まれることを特徴とする、
ユーザインタフェース装置。
【請求項２】
ユーザが入力した前記テキストメッセージと識別され表示される前記特定のパラメータを表すデータファイルを格納する記憶装置が設けられている、請求項１記載の装置。
【請求項３】
識別され表示される前記特定のパラメータに関してテキストメッセージコメントをユーザに入力させる、請求項１記載の装置。
【請求項４】
識別され表示された前記特定のパラメータは、患者監視装置から導出された患者医療データにおけるトレンドポイントを表す値である、請求項１記載の装置。
【請求項５】
前記ウィンドウには、識別され表示される前記特定のパラメータが該パラメータに対応づけられたパラメータラベルおよび測定単位とともに自動的に含まれる、請求項１記載の装置。
【請求項６】
前記ウィンドウ内に表示するため、ａ）バイタルサインパラメータとｂ）タイムスタンプデータのうち少なくとも一方を自動的に捕捉する、請求項１記載の装置。
【請求項７】
ユーザが入力した前記テキストメッセージと識別され表示される前記特定のパラメータを表す前記データファイルはＨＴＭＬ文字列を有する、請求項２記載の装置。
【請求項８】
前記ウィンドウには、識別され表示される前記特定のパラメータに関連するタイムスタンプ情報と、コメントファイル生成に関連するタイムスタンプ情報が含まれている、請求項７記載の装置。
【請求項９】
前記表示アイコンには、ウィンドウ内に含まれるテキストのサブセットを表示するため上方にカーソルがおかれると応答するアクティブエリアが含まれている、請求項１記載の装置。
【請求項１０】
ユーザに表示される医療情報にコメントを付与するインターネットコンパチブル方法において、
データベースに格納するため患者医療データを取得するステップと、
所望の順序で表示するため取得した該患者医療データに優先順位を付与するステップと、
ユーザ選択命令に応答して該データのうち表示される特定のパラメータを識別するステップと、
表示アイコンをユーザがアクティブにするとウィンドウを生成し、該ウィンドウに、識別され表示される前記特定のパラメータとユーザが入力したテキストメッセージを自動的に含めるステップを有することを特徴とする、
インターネットコンパチブル方法。
【請求項１１】
識別され表示される前記特定のパラメータとユーザが入力したテキストメッセージを表すコメントファイルを記憶装置に格納する、請求項１０記載の方法。
【請求項１２】
前記表示される特定のパラメータと関連づけられた視覚的なインジケータを設け、該インジケータは格納された前記コメントファイルを表す、請求項１記載の方法。
【請求項１３】
表示アイコンをユーザがアクティブにするとウィンドウを生成する前記ステップは、表示される前記特定のパラメータについてコメントファイルがすでに存在しているか否かを判定するステップを有する、請求項１１記載の方法。
【請求項１４】
表示される前記特定のパラメータは、患者監視装置から導出された患者医療データにおけるトレンドポイントを表す値である、請求項１０記載の方法。
【請求項１５】
複数のソースから導出された医療パラメータデータを表示しコメントを付与するインターネットコンパチブル方法において、
周期ベースで患者に関連する医療パラメータを取得するステップと、
取得した該医療パラメータを第１のユーザ命令に応答して所望の順序で表示するため、該医療パラメータに優先順位を付与するステップと、
第２のユーザ命令に応答して、表示された該医療パラメータのうち特定のデータパラメータセットを識別するステップと、
第１のウィンドウ内に該特定のパラメータデータセットを表示し、第２のウィンドウ内に、第３のユーザ命令に応答して該特定のパラメータデータセットに対応するテキスト情報のコメントを付与するためのテキストフィールドを表示するステップを有することを特徴とする、
インターネットコンパチブル方法。
【請求項１６】
前記の第１および第２のウィンドウディスプレイを表すコメントファイルを記憶装置に格納する、請求項１５記載の方法。
【請求項１７】
前記表示された特定のパラメータに関連するインジケータを設け、該インジケータは格納された前記コメントファイルを表す、請求項１６記載の方法。
【請求項１８】
表示される前記医療パラメータのうち特定のデータパラメータセットを識別する前記ステップは、ａ）バイタルサインパラメータとｂ）タイムスタンプパラメータのうち少なくとも一方を表示のため識別する、請求項１５記載の方法。
【請求項１９】
複数のソースから導出された医療情報を表示させるためのネットワークコンパチブルシステムにおいてユーザインタフェース装置は、
患者医療データを取得する通信プロセッサと、
取得された患者医療データを所望の順序で表示するため該データに優先順位を付与し、ユーザ選択命令に応答して該データのうち表示される特定のパラメータを識別するプロセッサと、
表示アイコンをユーザがアクティブにするとウィンドウを生成するディスプレイジェネレータを有しており、該ウィンドウには、識別され表示される特定のパラメータとユーザが規定するテキストメッセージを入力するためのエリアが自動的に含まれることを特徴とするシステム。
【請求項２０】
コメントファイルがすでに生成されていることを表すため、ユーザにより選択可能なアイコンが設けられており、該アイコンはコメントファイルをユーザが生成すると表示され、前記コメントファイルはユーザが入力したテキストメッセージと識別され表示される特定のパラメータを表す、請求項１９記載のシステム。
【発明の詳細な説明】
【０００１】
産業上の利用分野
本発明は医療情報の処理および表示に関するものであり、詳しくはネットワーク環境においてユーザが入力したテキスト情報といっしょに患者の医療パラメータを処理および表示することに関する。
【０００２】
発明の背景
病院や他のヘルスケア環境においては、患者に関連する種々の医療データを収集して表示することがしばしば必要であるし、あるいはそのようにするのが望ましい。このような情報として挙げることができるのはバイタルデータ、ケアユニットデータ、診断および治療措置、人工呼吸器情報ならびに所定の患者に関する他のパラメータデータである。現在、この種の情報は患者のベッドサイドまたは付添人ステーションに帰属するカルテを介して得られることが多い。ところがこのようなカルテは見にくく、検査室テスト結果、傾向分析情報あるいはコメントデータなどのような患者に関する最新医療情報は含まれていないことが多い。この問題点は、この種の医療データが多様な出所から様々な時点に到来することに起因してさらに悪化する。しかも現在のカルテは、ケア提供者が簡単にアクセスしたり見たりあるいは多数の医療テスト結果または他の患者関連データを判定するのには適していない。しかもある種の特定の医療データや検査結果は固有のコメント情報の正当な根拠となる可能性があり、医師やその他のケア提供者にとって望ましいのは、そのようなコメント情報を患者情報全般において特定の期間にわたり維持しておくことである。したがって複数の出所から導出された患者医療情報をアクセスし互いに関連づけ表示しコメントを付与するための、いっそう迅速で効率的かつユーザフレンドリーな手段が必要とされている。
【０００３】
発明の概要
複数の出所から導出された医療情報を表示するためのネットワークコンパチブルシステムにおいてユーザインタフェース機構は、患者医療データを取得する通信プロセッサと、取得した患者医療データを所望の順序で表示するためそれらのデータに優先順位を付与しかつユーザ選択命令に応答して特定のデータセットを識別するプロセッサと、表示されたアイコンをユーザがアクティブにすることに応答してウィンドウを生成するディスプレイジェネレータを有している。表示されたウィンドウには自動的に、識別された特定のパラメータが含まれるしユーザが入力したテキストメッセージも含まれる。
【０００４】
本発明のシステムにはさらに、テキストメッセージおよびそのデータセットに対する識別された特定のデータパラメータを表すデータファイルを格納する記憶装置が設けられている。さらにこのシステムによればユーザは、識別された特定のディスプレイパラメータに係わるテキストメッセージコメントを入力することができる。識別された特定のパラメータは、患者監視装置から導出された患者医療データにおけるトレンドポイントを表す値である。コメントファイルの生成に応じて、ディスプレイインジケータまたはアイコンはその特定のディスプレイパラメータセットに関連づけられ、ユーザに対して表示されて、その種のファイルがその特定のデータセットのために存在しているとユーザに警告される。
【０００５】
本発明の１つの実施形態によればウィンドウには自動的に、そのデータセットのための識別された特定のディスプレイパラメータがそれらの関連づけられたパラメータラベルおよび測定単位とともに含まれる。さらにこの装置は自動的に各データセットの一部分として、バイタルパラメータを含む生物学的データおよびタイムスタンプデータをウィンドウ内に表示するために捕捉する。
【０００６】
図面
図１は、本発明の基本原理による種々の装置を備えた通信ネットワークを示すブロック図である。
【０００７】
図２は、選択された医療パラメータデータにコメントを付与するための本発明によるシステムのフローチャートである。
【０００８】
図３Ａ〜図３Ｅは、選択された医療パラメータにコメントを付与するための本発明の１つの実施形態によるユーザインタフェースを例示する図である。
【０００９】
図４は、本発明による機能を含むサーバを示すブロック図である。
【００１０】
実施例
図１は、本発明の基本原理による通信ネットワークの一例を示すブロック図である。この明細書全体を通して、同様の部分を示すために同じ参照符号が用いられている。図１に示されているように通信ネットワーク１は、ローカルエリアネットワークとワイドエリアネットワークとが相互接続された階層をもつＩＰ（Ｉｎｔｅｒｎｅｔ Ｐｒｏｔｏｃｏｌ）コンパチブルネットワークによって表されている。なお、この実施例の病院ネットワークまたは医療ネットワークはＩＰコンパチブルネットワークであるけれども、当業者に周知のように他の形式のネットワークを用いることもでき、以下のものに限定するわけではないがたとえば Ｘ．２５， ｆｒａｍｅ ｒｅｌａｙ， ＩＢＭ ＳＮＡ など他のコンピューティングプロトコルを利用した光ネットワークまたはワイヤレスネットワークなどを挙げることができる。また、ここで説明する実施例のネットワークは階層構造をもつネットワークであるけれども、本発明はそれを必要とするわけではない。ネットワーク上の装置間の通信コネクティビティを提供する他の形式のネットワークアーキテクチャも利用できる。
【００１１】
図１に示されているように、一例としての階層ネットワーク１の第１のレベルは医療インタフェースバス（ＭＩＢ）２を有している。ＭＩＢは医療機器をローカルに相互接続するための周知の医療産業規格である。図１に示されているようにＭＩＢ２は典型的には、固有の患者に対するケアを管理し固有の患者を監視する病室内の各医療機器を相互接続するために使用される。ＭＩＢ２を介して種々の医療機器を接続することができる。図１に示されている実施例には人工呼吸器６ａ、ＩＶ（Ｉｎｔｒａｖｅｎｏｕｓ 静脈内）ポンプ８あるいはその他の医療機器１０が設けられている。
【００１２】
ＭＩＢ２は典型的にはインタフェースドッキングステーション（ＩＤＳ）装置１２を介して第２レベルのＬＡＮネットワーク３と接続されており、これによってイーサネットコンパチブルのＬＡＮネットワーク３と相互に作用しあうようになる。上位レベルのＬＡＮ３はたとえば Ｓｉｅｍｅｎｓ Ｍｅｄｉｃａｌ Ｓｙｓｔｅｍ によって販売されている Ｉｎｆｉｎｉｔｙ ＬＡＮ とすることができる。この上位レベルのＬＡＮ３は典型的には（とはいえ必須ではないが）、組織の規模に応じてたとえば集中治療室や手術室など病院内の特定の部署において使用される。
【００１３】
図１には示されていないが２つ以上のＭＩＢを第２のレベルのＬＡＮ３に接続することができ、その場合にはＬＡＮ３を介して２人以上の患者を監視したりケアしたりすることができる。これに加えて、医療機器を上位レベルのＬＡＮ３にダイレクトにすることができる。たとえば図１に示されているように、人工呼吸器６ｂと麻酔システム１３は、ＭＩＢを介してつながなくてもＬＡＮ３とダイレクトに接続されている。
【００１４】
さらにＬＡＮ３を、やはりイーサネットコンパチブルの病院ＬＡＮバックボーン４と接続することができる。このバックボーンネットワーク４によって、病院または医療組織内の様々な部署間の通信コネクティビティが提供される。たとえば病院管理システム１５が検査室システム１７といっしょに接続される。また、病院ＬＡＮ４はリモートアクセスゲートウェイ１９を有しており、これによってたとえば遠隔の医師のオフィス２３または遠隔のケア現場２４などからネットワーク１上の種々のシステムや機器に対し、インターネット１を介して安全なリモートアクセスが提供される。択一的にリモートサイトはリモートアクセスゲートウェイ１９に対しダイレクトに、たとえばダイアルアップテレフォンポート、ＡＤＳＬまたは他の形式のプライベートコネクションを介してアクセスすることもできる。リモートアクセスゲートウェイ１９を、以下で説明するように従来技術で周知のようにスタンドアロンの代わりにサーバ２０の一部分としてもよい。
【００１５】
本発明の基本原理によれば中央サーバ２０はＬＡＮ３上に設けられており、このサーバはＬＡＮ３または病院ＬＡＮ４と接続された周辺医療機器または周辺医療設備からデータを収集して処理し、それらのデータにはたとえばＨＬ７インタフェースを介して接続された検査室システム１７により供給される検査結果などの医療パラメータが含まれている。心臓学、血行力学、呼吸および神経学のカテゴリーのデータを含む付加的な医療パラメータデータも図１に示されているようなかなり多数の医療機器から取得することができ、また、これらの医療パラメータデータをたとえばＨＬ７またはＡＳＴＭメッセージを含む様々なインタフェースプロトコルを利用してサーバ２０のところで取得することができる。バイタルや検査室テスト結果を含む所定の患者に対応づけられた取得済み医療パラメータは、表示および監視のためネットワーク１上の医療機器から得られる。当業者にとって、サーバ２０をネットワーク１の階層のいずれのレベルにおいてもよいことは自明である。なぜならば図１におけるそれぞれ異なるレベルのＬＡＮ（たとえば３または４）もリモートサイトも相互に接続されているからである。サーバ２０の一例は Ｓｉｅｍｅｎｓ Ｍｅｄｉｃａｌ Ｓｙｓｔｅｍ により販売されている ＣｈａｒｔＡｓｓｉｓｔ（登録商標）サーバである。たとえばオペレーティングシステム Ｍｉｃｒｏｓｏｆｔ ＮＴ を実行可能なコンピュータシステムを、サーバのためにホストコンピュータとして利用することができる。
【００１６】
図２にはフローチャートとしてサーバ２０により実行可能な機能が示されており、これはクライアントコンピュータ２６のウェブブラウザ２７上に設けられたユーザインタフェースソフトウェアと共働する。そしてこのユーザインタフェースソフトウェアは、選択された患者に関連する医療情報を本発明に従って特定の患者パラメータデータに対応してコメントの付与された情報とともに検索および表示するよう構成されている。ステップ２０２に示されているように、まずはじめにサーバ２０はネットワーク上の機器と通信を確立する。これは従来技術で周知のように何らかの上位のアプリケーション層プロトコルと共働して、たとえばＩＰプロトコルおよびネットワーク１上の各機器に対する既知のＩＰ機器アドレスを使って行われる。
【００１７】
サーバ２０と他の機器との間で通信が確立されると、サーバ２０は種々の機器について選択された監視中のパラメータおよびセッティングを取得し始める。通信処理モジュールまたはソフトウェアプログラムは、監視されているパラメータを含む患者データを取得してデータベースへ格納するため情報を照合するように働く。既述のようにこの種のパラメータはＬＩＳ１７とのＨＬ７インタフェースを介して、または図１に示した医療機器のＡＳＴＭまたはＭＩＢケアポイント（ＰＯＣ ｐｏｉｎｔ ｏｆ ｃａｒｅ）を介して取得することができる。
【００１８】
心臓学、検査結果、血行力学、呼吸および神経学のカテゴリーのデータを含む医療パラメータデータを連続的または周期的に取得して、サーバ２０内のリレーショナルデータベース２５に格納するため所定の患者と相関させることができる。データベース２５は、Ｍｉｃｒｏｓｏｆｔ ＳＱＬ ｓｅｒｖｅｒ などのようにリレーショナルデータを格納するために使用されるタイプのものとすることができる。また、取得されたデータには、タイムスタンプ情報や取得済みデータに関連する日付や時間を表す他の情報を含めることができる。
【００１９】
したがってサーバ２０は医療データを照合して、グラフィカルユーザインタフェース（ＧＵＩ）コンポーネントをもつウェブブラウザ上でデータを表示させるため、たとえばＨＴＭＬ（ＨｙｐｅｒＴｅｘｔ Ｍａｒｋ−ｕｐ Ｌａｎｇｕａｇｅ）プログラミング言語に適合するようフォーマット整形する。さらにサーバはたとえば、リクエスト生成のためユーザのウェブブラウザから発せられたＨＴＴＰ（Ｈｙｐｅｒ Ｔｅｘｔ Ｔｒａｎｓｆｅｒ Ｐｒｏｔｏｃｏｌ）命令に対して応答する。
【００２０】
図４にはサーバ２０の実施形態に関するブロック図が示されており、この場合、サーバ２０は患者医療情報を含むデータベースを管理、照合、検索および更新するよう働く。ここで説明する様々な機能を実現するための命令を実行するよう働くプログラム要素またはプロセッサには通信処理モジュール２５０２が含まれており、これは対応する患者に関連して監視されているデータパラメータを含む患者データを取得して、データベース２５に格納するために情報を照合する。プロセッサ／コントローラ２５０４はウェブブラウザおよびディスプレイジェネレータソフトウェアと共働して、特定のアプリケーションのユーザの選択に応じて特定の患者に関連する所定の患者医療データを所望の順序とフォーマットで表示するため、取得済みの医療データパラメータに優先順位を付与する。ネームサーバプロセッサ２５０６は、唯一の識別子（Ｉｄ）をシステムネットワークと接続された各ノードおよびシステム内の各患者と対応づけ、その目的はシステム全体にわたり患者情報を追跡および更新することである。その際、種々のプロセッサ間で通信を行い、通信ライン２５１０を介してデータベース２５とサーチエンジン２３とネットワークとの間でやり取りするために、入出力データおよびコントロール信号が用いられる。
【００２１】
本発明の１つの実施形態によればユーザは図１に示されているように、Ｍｉｃｒｏｓｏｆｔ ＷｉｎｄｏｗｓコンパチブルのＰＣ ２６またはＷｎｄｏｗｓ ＮＴコンパチブルのＰＣ３９を使用してもよいし、あるいは所定の患者に関連して前述のカテゴリタイプの医療データを見るためにウェブブラウザ（Ｍｉｃｒｏｓｏｆｔ Ｉｎｔｅｒｎｅｔ ＥｘｐｌｏｒｅｒまたはＮｅｔｓｃａｐｅ Ｎａｖｉｇａｔｏｒなど）のようなメニュー生成プログラムを実行可能なその他のどのようなコンピュータを使用してもよい。つまりユーザは、リクエストを出してデータベース２５に格納された取得済み情報を見るために、サーバ２０に対する通信コネクションを確立できるかぎり、いかなるコンピュータにおいてもウェブブラウザを使用することができる。このことが有利である理由は、医師はたとえば専用端末を用いる必要なく遠隔の医師のオフィス２３から医療パラメータデータに対するアクセスを行えるからである。もちろんユーザは従来技術で知られているように、ユーザ選択またはリクエストをユーザコンピュータに入力するために、単純にキーボードおよび／またはマウスまたはその他のユーザインタフェースデバイスを使用することができる。ユーザインタフェースには、選択された患者に関連する患者医療情報を表示させる一方、選択された患者に関連する種々の医療データを検索および表示するために種々のアプリケーション間のナビゲーションを行う機能が含まれている。さらにユーザインタフェースには、所定の期間に関連して表示されたデータからデータのサブセット（すなわちデータセット）を選択し、そのデータセットをユーザが入力したテキスト情報とともに表示する機能も含まれている。この種の機能には、選択された特定のデータセットのパラメータデータと選択された患者に関連するコメントの付与されたテキスト情報の双方を含む合成ウィンドウを表示するため、ディスプレイジェネレータモジュールを有するブラウザが含まれている。
【００２２】
図３Ａには、システムのユーザが傾向データを閲覧しコメントを付与できるようにするために、監視されている特定のパラメータに関連する医療パラメータデータを本発明に従ってどのようにして検索し、複数の日にわたるタイムラインに沿ってユーザコンピュータ２６のウェブブラウザ上に表示することができるかについて示されている。図示されているように、ディスプレイウィンドウ３００はナビゲータパネル部分３１０と結果ディスプレイウィンドウ部分３２０を有している。ディスプレイウィンドウ３２０は全体として参照符号３２２の付された特定の医療パラメータデータを有しており、これはタイムライン３２４に沿って所定のフォーマットで表示されており、この表示は所定の患者に関連する特定の医療パラメータデータをアクセスするためにユーザリクエストに応答して行われる。
【００２３】
図３Ａの実施形態の場合、医療パラメータデータ３２２および関連するデータラベル３２３ディスプレイウィンドウ３２０に表形式で表示されており、これはバイタルタブ→カルテサブタブ３０１５というユーザ選択に応答して表示される。全体として参照符号３１２の付されたアイコンのうち心臓学、検査結果、血行力学、呼吸および神経学というカテゴリにおいて適切な１つに関連する特定の医療パラメータに相応する１つのアイコンを選択することでユーザインタフェースによりデータベースのサーチがリクエストされ、選択された患者に関連する選択されたカテゴリ内のそのような特定の医療パラメータが得られるようになる。患者の入院中に蓄積される多量の患者データに起因して、サーチ判定基準にマッチする不所望に大量の医療パラメータデータがユーザに表示される可能性がある。本発明によれば有利にはさらにユーザインタフェース機構によって、表示される医療パラメータデータがユーザにより選択された範囲に対応するデータのサブセットに制限され、そのサブセットがタイムライン３２４に沿って表示される。
【００２４】
ディスプレイナビゲータパネル３１０はスクロール可能であってユーザが選択可能な日付指示パネル３１５を有しており、これには所定の患者に関連するデータベース情報に従い患者が入院しているときのすべての日全体（すなわち暦日）が含まれている。１つの実施形態によれば５つの日（１，２，３，４，５）が日付指示パネル３１５を介して表示されており、この場合、方向コントロールセレクタ３１７が日付指示パネルの両側に左右の矢印の形態で実現されており、これによってユーザは日付範囲全体にわたりスクロールすることができる。日付指示パネルの日付範囲内の特定の日をユーザが選択することによって、サーチエンジンは選択された日、その直前の日およびその直後の日に関連する所定の患者に関するすべての医療パラメータデータをデータベースから検索し、さらに他のすべてのサーチ判定基準（たとえば医療パラメータデータのカテゴリ）にマッチするデータを検索する。
【００２５】
図３Ａに示されているように、日付指示パネル３１５内の特定の日（たとえば日付５）をユーザが選択したことに応答して、日付の境界を越えてタブ形式でユーザに医療パラメータデータ３２２が表示される。ユーザインタフェースにより、現在の日付または選択された日付に関連する第１の部分３２４ａと前日または翌日に関連する第２の部分３２４ｂを有するタイムラインディスプレイ３２４が生成される。１つの特別な実施形態の場合、タイムライン３２４は等しい期間の所定のインターバルＴに分けられている。これらのインターバルは、スケールパネル３１９のユーザ選択に基づき１５分、１時間、２時間、４時間または８時間というユーザにより選択可能な増分量でスケーリングすることができ、ウィンドウ３２０内で表示させるためにフォーマッティングされる。タイムラインディスプレイには時／分（ｈｈ：ｍｍ）フォーマットの表記が含まれており、これによってユーザは表示される特定の相応のパラメータデータに関連づけられた特定の時間を識別することができるとともに、患者医療データに関連づけられたトレンドを閲覧または判定することができる。検索された医療データには優先順位が付与され、それらのデータは照合されて、サーチ判定基準に従い所望の順序で表示される。図３Ａに示されている実施形態の場合、特定の医療パラメータ３２３に関連づけられた医療パラメータデータには心拍数（ＨＲ） ＰＶＣ／ｍｉｎ，％Ｐａｃｅ，ＳＴＩ，ＳＴＩＩ，ＳＴＩＩＩおよびＳＴａＶＬが含まれており、これらは第１列に沿って降順に表示される一方、各パラメータに関連づけられた相応のデータは水平方向つまり行に沿って時間順序で表示される。これらのデータはタイムラインディスプレイと位置合わせされており、これにより時間経過順の期間が所定の列のパラメータデータと対応づけられる。ブラウザによって表示される一番右側のデータは最も新しい医療パラメータデータを表す。また、各列によりデータの所定のサブセット３２２ａが規定されており、これはユーザがカーソルを所望の列におき（たとえばマウスのクリックなどにより）行を選択することによって選択可能である。別個のカーソルタイムディスプレイウィンドウ３１１は、所定の列（たとえば列３３５）をユーザが選択したことに応答して、選択されたカーソル位置に対応する日時を表示する。
【００２６】
次に、図２と関連させて図３Ａ〜図３Ｄを参照して説明する。そこに示されているシステムおよび方法によれば、ユーザは選択したトレンドデータにテキストでコメントを付与することができる一方、メモファイル内でタイムスタンプ情報に加えて選択されたデータセット内のバイタルサインパラメータを含む特定の医療データが自動的に捕捉される。既述のように、ネットワーク内の所定の患者３１６０についてバイタル→カルテタブをユーザが選択した結果、図３Ａで示したタブ形式でユーザに対し医療パラメータデータ３２２が表示される。ついで、表示された特定のパラメータのセットを規定する所定の列またはデータセット３２２ａがカーソルにより選択されてメモアイコンが生成され、次にこのアイコンが選択されて、図３Ｂに示されているような特定の期間に関連するウィンドウ４００が生成される。ウィンドウ４００は、パラメータディスプレイ部分４１０と最初は空白のテキスト入力／ディスプレイ部分４２０から成る。選択されたデータセット３２２ａに関連する特定のデータポイント３１４の各々がそれらの測定単位を含む個々のパラメータラベル３２３とともにパラメータディスプレイ部分４１０に自動的にコピーされ、ディスプレイ３００（図３Ａ）に示されているのと同じ順序でユーザに表示するためフォーマッティングされる。特別に識別された表示パラメータは、患者監視装置から導出された患者医療データにおける１つのトレンドポイントを表す値を有している。テキスト入力／ディスプレイ部分４２０によって、識別された特定の表示パラメータに関連するテキスト情報をユーザが入力できるエリアが提供される。これによって適切なアクセス権をもつ医師や看護士や他のケア提供者などシステムのユーザは、特定の期間について選択された特定の医療パラメータデータに対応する付加的なテキストを入力することができる。トレンド情報にこのように電子的にコメントを付与することによって特定のデータの検索および閲覧が容易になる一方、情報を複数のページに書き写したり、ドキュメント（たとえば検査カルテなど）の余白や隅に書く必要がなくなる。このような情報はたとえばコンピュータのキーボードを介して入力することができる。図３Ｅには、入力／ディスプレイ部分４２０内にテキスト情報が入力された様子が示されている。コントロールボタン４２５をユーザが選択するとシステムは、ユーザ入力テキストメッセージおよび識別された特定の表示パラメータデータ３１４ならびにラベル３２３を表すレコードデータを生成して、データベースレコードなどのようなデータ記憶装置に格納する。タイムスタンプ情報も、ウィンドウ４１０（図３Ｂおよび図３Ｅ）内および格納されたデータベースレコード（図３Ｄ）に含まれており、これによって選択されたパラメータデータセットに対応する詳細なカーソルタイムおよびデータ情報が得られる。これに加えて、メモファイルの生成された日付および時刻を表しユーザ生成情報４３３ａとカテゴリー情報４３３ｂも含む日付タイムスタンプ情報４３３（図３Ｄ）が、データベースレコードに格納される。１つの特別な実施形態の場合、データベースに格納された情報はＨＴＭＬ文字列として処理され、メモインジケータアイコン３８０（図３Ｄ）を介して適切に表示できるようフォーマッティングされる。さらに別の実施形態の場合、データベースレコードに対し、日付タイムスタンプ情報３１６によってインデックスが形成される。
【００２７】
ディスプレイジェネレータソフトウェアはテキスト情報の入力とコントロールボタン４２５の選択に応答して動作し、これによって選択された特定のデータセット３２２Ａの上におかれたインジケータ３８０が表示され、この特定のデータセットについてメモファイルが生成されていることが視覚的に表示されるようになる。図３Ｃにはスクリーンディスプレイ３００の一例が示されており、これにはメモファイルインジケータ３８０ａ，３８０ｂ，３８０ｃが含まれており、これらはそれぞれデータセット３２２ａ，３２２ｂ，３２２ｃのうち対応する１つに関連するメモリファイルが生成されていることを表す。ここに示したようにしてウィンドウ３２０内に表示されたデータセットの各列について次のメモファイルを生成してコメントを付与することができる。
【００２８】
図３Ｄには、メモインジケータ３８０により識別されているバイタルサインパラメータデータセットに対応するメモファイルウィンドウ４０００が例示されている。図３Ｄに示されているようにメモインジケータ３８０をユーザが選択すると、サーチエンジンはユーザが選択可能なスケール増分量内で与えられている選択されたタイムインターバル内のメモに関するすべてのメモファイルデータベースレコードを検索する。つまりサーチエンジンは、選択された特定のデータパラメータセットの所定のタイムインターバル（たとえば１時間）内で生成されたすべてのメモファイルについて、すべてのメモファイルレコードを検索して別個のメモウィンドウ内に表示しようとする。なお、同じ特定のディスプレイパラメータセットについて２つのメモファイルが生成されている場合にはソフトウェアプロセスによって、情報パラメータディスプレイ部分４１０とテキスト入力ディスプレイ部分４２０が結びつけられて１つの単一のウィンドウが形成される。これに加えて、メモインジケータ３８０をアクティブなディスプレイエレメントまたはホットエリアとしてインプリメントすることができ、この場合、カーソルをインジケータエリア３８０付近のホットエリア上に移動させると、ユーザによりコメントされたテキストに関連するサマリーデータが表示されるようになる。これはたとえばメモファイルに入力されたテキストのうち最初の１０文字とすることができ、カーソル移動またはインジケータ３８０の選択に応答してこれをユーザに表示させることができる。このようにしてユーザは、記憶装置内に格納されているコメントテキストファイル全体を選択して閲覧することなく、ディスプレイからコメント情報を迅速に引き出すことができる。
【００２９】
さらに別の実施例として図２には、選択されたトレンドデータポイントにテキストの入力によりコメントを付与する一方、メモファイル内の特定の医療データパラメータを自動的に捕捉する機能を実行するためのフローチャートが示されている。前述のとおりサーバ２０はネットワーク上の機器との通信を確立すると（ステップ２０２）、データベース内に格納するためネットワークと接続された種々の機器に対し選択されたセッティングで監視中のパラメータを取得し始める。ついでシステム内の種々のアプリケーションのナビゲーションにより、たとえばバイタル→カルテタブ機能を選択するなどしてトレンドデータを選択することができ、これによってユーザに対し表示するために選択された患者に関する特定のパラメータに優先順位が付与される（ステップ２１０）。そしてたとえばマウスクリックなどによって特定のデータセットをユーザが選択すると、この選択に応答して表示されるパラメータの特定のセットに対して識別子属性が割り当てられる。図３Ａに示されているようにこの属性はボックスで囲まれたエリアとして表されるが、種々のカラーインジケータや幾何学的形状、シンボルなど他の属性も考えられる。
【００３０】
メモアイコン３６０の生成を選択すると（ステップ２１４）、サーバソフトウェアはユーザが選択した特定のディスプレイパラメータを表示するメモウィンドウ４００を生成し、このウィンドウにはユーザがテキスト情報を入力できるテキストエリアが含まれる（ステップ２１６）。入力ディスプレイ部分４２０のユーザのコメント付与およびメモウィンドウ４００の処理に応じて、ユーザが選択したパラメータ、日付タイムスタンプ、コメント付与されたテキスト情報ならびにメモ生成タイムスタンプ情報を含むデータベースレコードは、ＨＴＭＬ文字列としてデータベース内に格納される。ついでこの特定のディスプレイパラメータセットについて、メモファイルインジケータ３８０がユーザに対して表示される。メモインジケータ３８０（ステップ２２０）を選択すると、システムは選択されたタイムインターバル３１９内のメモに関するすべてのファイルレコードを検索し（図３Ｄ参照）、特定のディスプレイパラメータと関連する種々の日付タイムスタンプ３９９を有する所定のインターバル３１９内における各データベースレコードごとに、ユーザが選択したパラメータとテキスト情報を表示する別個のメモファイルウィンドウ４０００を生成する。
【００３１】
なお、ここで図示し説明してきた実施例や変形実施形態はたんに例示目的にすぎず、当業者本発明の枠を逸脱することなく様々な変形を施すことができる。
【図面の簡単な説明】
【図１】
本発明の基本原理による種々の装置を備えた通信ネットワークを示すブロック図である。
【図２】
選択された医療パラメータデータにコメントを付与するための本発明によるシステムのフローチャートである。
【図３Ａ】
選択された医療パラメータにコメントを付与するための本発明の１つの実施形態によるユーザインタフェースを例示する図である。
【図３Ｂ】
選択された医療パラメータにコメントを付与するための本発明の１つの実施形態によるユーザインタフェースを例示する図である。
【図３Ｃ】
選択された医療パラメータにコメントを付与するための本発明の１つの実施形態によるユーザインタフェースを例示する図である。
【図３Ｄ】
選択された医療パラメータにコメントを付与するための本発明の１つの実施形態によるユーザインタフェースを例示する図である。
【図３Ｅ】
選択された医療パラメータにコメントを付与するための本発明の１つの実施形態によるユーザインタフェースを例示する図である。
【図４】
本発明による機能を含むサーバを示すブロック図である。
【図１】
2004527022.tif 000003
【図２】
2004527022.tif 000004
【図３Ａ】
2004527022.tif 000005
【図３Ｂ】
2004527022.tif 000006
【図３Ｃ】
2004527022.tif 000007
【図３Ｄ】
2004527022.tif 000008
【図３Ｅ】
2004527022.tif 000009
【図４】
2004527022.tif 000010
【国際公開パンフレット】
2004527022.tif 000011
2004527022.tif 000012
2004527022.tif 000013
2004527022.tif 000014
2004527022.tif 000015
2004527022.tif 000016
2004527022.tif 000017
2004527022.tif 000018
2004527022.tif 000019
2004527022.tif 000020
2004527022.tif 000021
2004527022.tif 000022
2004527022.tif 000023
2004527022.tif 000024
2004527022.tif 000025
2004527022.tif 000026
2004527022.tif 000027
2004527022.tif 000028
2004527022.tif 000029
2004527022.tif 000030
2004527022.tif 000031
2004527022.tif 000032
2004527022.tif 000033
2004527022.tif 000034
2004527022.tif 000035
2004527022.tif 000036
2004527022.tif 000037
2004527022.tif 000038
2004527022.tif 000039
2004527022.tif 000040
2004527022.tif 000041
2004527022.tif 000042
2004527022.tif 000043
【国際公開パンフレット（コレクトバージョン）】
2004527022.tif 000044
【国際調査報告】
2004527022.tif 000045
2004527022.tif 000046
2004527022.tif 000047